(57)【要約】【課題】  ウエブを連続走行させつつ両側複数対の回転刃によって幅方向複数本に断裁する際、カエリ現象の発生を効果的に抑止する手段を提供する。【解決手段】  走行するウエブＷを挟んで対峙する上刃１と下刃２の複数対がウエブ幅方向に所定間隔置きに配置し、走行するウエブＷを各対の回転刃間でスリットするように構成されたスリッター装置Ｍにおいて、各対の回転刃は刃先角度が４０度未満の上刃１と、刃先角度が５０度以上の下刃２の組合せからなり、ウエブ走行方向に対して０．００１〜０．０２度のトーイン角θをなして刃先同士を噛み合うように配置している。【選択図】                図２
2007030097.tif 000002
【特許請求の範囲】
【請求項１】
走行するウエブを挟んで対峙する両側一対の回転刃の複数対がウエブ幅方向に所定の間隔を置いて配置し、走行するウエブを各対の回転刃間でスリットするように構成されたスリッター装置であって、
前記各対の回転刃は、刃先角度が４０度未満の一方の回転刃と、刃先角度が５０度以上の他方の回転刃との組合せからなり、ウエブ走行方向に対して０．００１〜０．０２度のトーイン角をなして刃先同士が噛み合うように配置していることを特徴とするスリッター装置。
【請求項２】
前記各対の回転刃の一方がウエブ走行方向に対して順方向に回転駆動する駆動側回転刃であり、他方が該駆動側回転刃及びウエブとの接触摩擦によって従動回転する従動側回転刃である請求項１記載のスリッター装置。
【請求項３】
各回転刃が各々独立した支軸に取り付けられてなる請求項１又は２に記載のスリッター装置。
【請求項４】
前記請求項１〜３のいずれかに記載のスリッター装置により、ウエブとしてプラスチック基材の片側に少なくとも水性の記録層用塗液を塗工した記録材料を、その記録層用塗液の塗工側に前記刃先角度が４０度未満の一方の回転刃が当接する状態でスリットすることを特徴とする記録材料のスリット断裁方法。
【請求項５】
前記記録材料の記録層用塗液を塗工した側を鉛直方向の上面側にしてスリットすることを特徴とする請求項４記載の記録材料のスリット断裁方法。
【発明の詳細な説明】
【技術分野】
【０００１】
本発明は、塗工フィルム等の各種ウエブを連続走行させつつ幅方向複数本に断裁するのに使用されるスリッター装置と、このスリッター装置を用いた記録材料のスリット断裁方法に関する。
【背景技術】
【０００２】
従来、塗工フィルム等のスリッター装置として、種々の断裁方式のものが知られるが、特に断裁精度の点から、連続走行するウエブを上下で対をなす円形刃同士の噛み合い部分で断裁するシャーカット方式のものが一般的に汎用されている。そして、このシャーカット方式においても、各対の上刃に円形皿刃を用いると共に、下刃に円筒状刃を用いたものが多用されている。
【０００３】
図６は従来のシャーカット方式によるスリッター装置の一例を示している。このスリッター装置では、走行するウエブＷの上方側に上刃として、各々外周に円形皿刃３１を嵌装した環状ホルダー３２…が個々に昇降フレーム３０に枢支されてウエブ幅方向に所定間隔置きに配列する一方、該ウエブＷの下方側に下刃として、ウエブ幅方向に沿う回転駆動軸４０に上刃に対応した複数個の円筒状刃４１…が嵌装され、該回転駆動軸４０の各円筒状刃４１に隣接する環状溝４０ａの位置で、当該円筒状刃４１に円形皿刃３１が噛合してウエブＷを断裁する。そして、上刃の各環状ホルダー３２は、昇降フレーム３０に固設された水平支軸３３に軸受３４を介して遊転自在に保持されており、その外周フランジ部３２ａとスナップリング３５との間で、嵌装したドーナツ板状の円形皿刃３１及び皿ばね３６を保持すると共に、該皿ばね３６の付勢を受けて円形皿刃３１が下刃の円筒状刃４１に押接することにより、回転駆動軸４０の回転に伴って従動回転する。
【０００４】
しかるに、従来のシャーカット方式によるスリッター装置では、各断裁位置において円筒状刃４１の周面上にあるウエブＷを円形皿刃３１が上方から押し切るように切断してゆく形になり、刃先両側の切断条件が大きく異なることから、ウエブＷの切断縁に沿って盛り上がりを生じる所謂カエリ現象が発生し、これに起因して断裁後のウエブＷが巻取り過程で蛇行し、もって巻取断面が不揃いになることが多々あった。しかして、上記のカエリ現象は、断裁対象のウエブＷが支持体の片側に記録層を塗工した記録材料である場合、とりわけプラスチック製支持体の片側に水性の記録層用塗液による記録層を塗工した記録材料である場合に特に顕著であった。また、特に上記記録層を始めとする塗工層を有するウエブの場合に、スリットによる切断端部近傍の塗工面に微小なヒビ割れが発生し易いという問題もあった。
【発明の開示】
【発明が解決しようとする課題】
【０００５】
本発明は、上述の状況に鑑み、ウエブを連続走行させつつ両側複数対の回転刃によって幅方向複数本に断裁する際、前記カエリ現象の発生を効果的に抑止する手段を提供することを目的としている。
【課題を解決するための手段】
【０００６】
上記目的を達成するために、請求項１の発明は、図面の参照符号を付して示せば、走行するウエブＷを挟んで対峙する両側一対の回転刃（上刃１，下刃２）の複数対がウエブ幅方向に所定の間隔を置いて配置し、走行するウエブＷを各対の回転刃間でスリットするように構成されたスリッター装置Ｍであって、前記各対の回転刃は、刃先角度が４０度未満の一方の回転刃と、刃先角度が５０度以上の他方の回転刃との組合せからなり、ウエブ走行方向に対して０．００１〜０．０２度のトーイン角θをなして刃先同士を噛み合うように配置していることを特徴としている。
【０００７】
請求項２の発明は、上記請求項１のスリッター装置Ｍにおいて、前記各対の回転刃の一方がウエブ走行方向に対して順方向に回転駆動する駆動側回転刃（下刃１）であり、他方が該駆動側回転刃及びウエブＷとの接触摩擦によって従動回転する従動側回転刃（上刃１）であるものとしている。
【０００８】
請求項３の発明は、上記請求項１又は２のスリッター装置Ｍにおいて、各回転刃が各々独立した支軸（水平支軸１５，回転駆動軸２６）に取り付けられたものとしている。
【０００９】
一方、請求項４の発明に係る記録材料のスリット断裁方法は、前記請求項１〜３のいずれかに記載のスリッター装置Ｍにより、ウエブＷとしてプラスチック基材Ｂの片側に少なくとも水性の記録層用塗液を塗工した記録材料Ｗ１を、その記録層用塗液の塗工側に前記刃先角度が４０度未満の一方の回転刃が当接する状態でスリットすることを特徴としている。
【００１０】
請求項５の発明は、上記請求項４の記録材料のスリット断裁方法において、前記記録材料Ｗ１の記録層用塗液を塗工した側を鉛直方向の上面側にしてスリットすることを特徴としている。
【発明の効果】
【００１１】
請求項１の発明に係るスリッター装置によれば、ウエブを挟む各対の回転刃が、特定範囲の刃先角度を有する組合せからなって、且つ特定のトーイン角θをなして刃先同士を噛み合うように配置していることから、ウエブの切断縁に沿うカエリ現象の発生が効果的に抑止され、もって該カエリ現象に起因して断裁後の巻取断面が不揃いになるのを防止できる。また、特に塗工層を有するウエブの場合に、スリットによる切断端部近傍の塗工面に微小なヒビ割れが発生するのを防止できるという利点もある。
【００１２】
請求項２の発明によれば、前記スリッター装置において、各対の回転刃の一方の回転駆動に伴って他方の回転刃が従動回転する構成であるから、スリッターとしての装置構成が簡素となり、設備コストが低減される。
【００１３】
請求項３の発明によれば、前記スリッター装置において、各回転刃が各々独立した支軸に取り付けられていることから、刃体が損傷したり交換時期に達した際の交換脱着操作が極めて容易になると共に、ウエブの幅方向の断裁位置による長手方向及び幅方向の張力の違いに対応して、良好な断裁状態になるように刃先同士の側圧や噛み合い量等を個別調整できる。
【００１４】
請求項４の発明に係るスリット断裁方法によれば、前記請求項１〜３のスリッター装置により、ウエブとしてプラスチック基材の片側に少なくとも記録層用塗液を塗工した記録材料を対象とし、その記録層側に各対の一方の回転刃が接する形でスリットすることから、該記録材料がスリット断裁によって切断縁に沿うカエリ現象を生じ易いものであるにも関わらず、該カエリ現象を効果的に抑止できる。
【００１５】
請求項５の発明によれば、上記スリット断裁方法において、前記記録材料の記録層用塗液を塗工した側を鉛直方向の上面側にしてスリットすることから、特にスリット断裁によるカエリ現象を生じ易い記録層側について、そのカエリ現象を効果的に抑止できるという利点がある。
【発明を実施するための最良の形態】
【００１６】
以下、本発明の一実施形態に係るスリッター装置及びスリット断裁方法について、図面を参照して具体的に説明する。
【００１７】
図１に示すように、このスリッター装置Ｍは、断裁対象のウエブＷがガイドロールＧ１，Ｇ１対とガイドロールＧ２，Ｇ２対との間を水平方向に沿って連続走行する区間内に設置されており、該ウエブＷを挟んで上下に対向配置する上刃１と下刃２との対がウエブ幅方向に所定間隔置きに複数対配置し、各対の上刃１と下刃２の噛み合いによって該ウエブＷを幅方向複数本に断裁するようになってなる。
【００１８】
図２に示すように、各上刃１は、環状ホルダー１０の外周にドーナツ板状の円形皿刃１１及び皿ばね１２を嵌装し、その外周フランジ部１０ａとスナップリング１３との間で保持したものであり、昇降フレーム１４に固設された水平支軸１５に軸受１６を介して遊転自在に枢支されている。一方、各下刃２は、同じく環状ホルダー２０の外周にドーナツ板状の円形皿刃２１及び皿ばね２２を嵌装し、その外周フランジ部２０ａとスナップリング２３との間で保持したものであるが、環状ホルダー２０が昇降フレーム２４に取り付けたモーター２５の回転駆動軸２６に固着されている。しかして、上刃１及び下刃２の円形皿刃１１，２１は共に、刃体としての剛性を確保するため、平板状ではなく径断面ハの字形に若干開いた形態を備えている。
【００１９】
なお、上刃１…の昇降フレーム１４…の全部と、下刃２…の昇降フレーム２４…の全部は、それぞれウエブＷの走行位置の上下に設けた昇降手段（図示省略）によって一体的に昇降動作し、スリット断裁の停止状態では各対の上刃１と下刃２を上下に離間できるようになっている。また、各昇降フレーム１４，２４は該昇降手段に対する取付位置がウエブＷ幅方向に可変であり、これによってウエブＷのスリット断裁幅を任意に設定できるようになっている。
【００２０】
ここで、下刃２は円形皿刃２１における回転軸と直交する回転面がウエブＷの走行方向と一致するように設定されるが、図３に示すように、上刃１は円形皿刃１１の回転面Ｆ（回転軸Ｏと直交する面）がウエブＷの走行方向Ｓに対して角度θをなすように設定される。この角度θは、上刃１と下刃２とが噛み合う際のトーイン角で、図では強調して大きな開きで示しているが、０．００１〜０．０２度の範囲である。すなわち、上刃１と下刃２とは、０．００１〜０．０２度のトーイン角θをなして刃先同士が噛み合うように配置している。そして、このトーイン角θは、０．００１〜０．０２度の範囲外ではウエブの切断縁に沿う塗工層側端部が損なわれる現象の抑止効果が不充分になり、また０．０１〜０．０２度の範囲では上記抑止効果の点で最も好結果が得られる。
【００２１】
また、上刃１及び片刃２の円形皿刃１１，２１の刃先は、図４に示すように、各々垂直面内にある回転面Ｆに一面側が沿うと共に他面側が角度α，βで傾斜した片刃になっており、互いに回転面Ｆに沿う一面側で上下方向にラップ量Ｌで重なってウエブＷを断裁するように設定されている。このように片刃で回転面Ｆに沿う一面側で噛み合う構成では、切断された端面が損なわれにくい上に、刃先部の摩耗が抑えられて耐久性向上に繋がることになる。これに対し、刃先の両側面が回転面Ｆに対して傾斜した両刃の場合、そのような端面への影響が出にくいように１０度未満の刃先角度にすることが好ましい。
【００２２】
なお、上刃１側の円形皿刃１１の刃先角度αは、４０度未満、好ましくは３５度以下がよい。この刃先角度αが４０度以上では上刃１に対向するウエブＷの上面側にカエリが発生し易くなる。逆に刃先角度αがあまりに小さくなると刃の耐久性に劣ることになるから、３０度以上が望ましい。
【００２３】
一方、下刃２側の円形皿刃２１の刃先角度βは、５０度以上とする。この刃先角度βが５０度未満では、下刃２に対向するウエブＷの下面側にカエリが発生し易くなる。カエリの発生を抑止する上では、該刃先角度βは５０〜９０度の範囲が好ましい。
【００２４】
上記構成のスリッター装置Ｍでは、下刃２…をモーター２５の作動によってウエブＷの送り方向と順方向に回転駆動させながら、図１及び図２に示すように各対の上刃１と下刃２とを上下に噛み合わせることにより、連続走行するウエブＷを幅方向複数本に断裁するが、各上刃１は下刃２及びウエブＷとの接触摩擦によって従動回転する。
【００２５】
このようなスリッター装置Ｍの断裁対象とするウエブＷには特に材質的な制約はないが、スリット断裁によって切断縁に沿うカエリ現象を生じ易いものには本発明の適用効果が大きい。すなわち、このスリッター装置Ｍでは、ウエブＷを挟む各対上下の回転刃が共に円形皿刃１１，２１で、しかも刃先同士を特定範囲の刃先角度の組合せとすることで、ウエブＷの切断縁に沿うカエリ現象が効果的に抑止され、このカエリ現象に起因して断裁後の巻取断面が不揃いになるのを防止できる。
【００２６】
しかして、本発明のスリット断裁方法では、上記カエリ現象を生じ易いものとして、例えば図５に示すように支持体Ｂの片側に記録層用塗液の塗工による記録層Ｃを設けた記録材料Ｗ１、とりわけ支持体Ｂがプラスチックのフィルム乃至シートで、記録層Ｃが水性の記録層用塗液の塗膜からなる記録材料Ｗ１を断裁対象とし、その記録層Ｃ側を鉛直方向の上面側にしてスリット断裁するようにしている。
【００２７】
かくしてスリット断裁された記録材料は切断縁に沿うカエリ現象が抑止されたものとなり、その巻き取り過程での蛇行が発生せず、巻取断面が不揃いになることが確実に回避される。
【００２８】
上記の記録材料としては、特に制約はないが、記録層Ｃに感熱、感圧、感光による発色を生じるようにしたもの、あるいはインクジェットにより記録されるようにしたものが一般的である。そして、上記支持体Ｂのプラスチック材料としては、ポリエチレンテレフタレートやポリプチレンテレフタレートの如きポリエステルフィルム、三酢酸セルロースの如きセルロース誘導体フィルム、ポリスチレンフィルム、ポリプロピレンやポリエチレン等のポリオレフィンフィルム、ポリイミドフィルム、ポリ塩化ビニルフィルム、ポリ塩化ビニリデンフィルム、ポリアクリル酸共重合体フィルム、ポリカーボネートフィルム等の合成高分子フィルムが挙げられる。
【００２９】
また、記録層Ｃの形成に用いる水性の記録層用塗液としては、例えば感熱記録層用塗液では、一般に水を媒体とし、ロイコ染料、呈色剤、接着剤、及び必要により顔料等の助剤を混合攪拌して調製されるものがある。
【００３０】
なお、このような記録材料の支持体Ｂの厚さは１００〜３００μｍ程度、記録層Ｃの厚さは１０〜３０μｍ程度がよい。
【００３１】
本発明でスリット断裁の対象とする記録材料は、図５で示すような支持体Ｂの片面のみに記録層Ｃを有するものに限らず、支持体Ｂの両面に記録層Ｃを有するもの、支持体Ｂの記録層Ｃを有する側とは反対側の面にバック層を有するもの、記録層Ｃ上に保護層等の上塗り層を設けたもの、支持体Ｂの表面と記録層Ｃとの間にプライマー層の如き中間層を備えるもの等、種々の構成のものがある。
【００３２】
なお、前記実施形態のスリッター装置Ｍでは各上刃１と各下刃２が共に刃体毎に独立した支軸に取付けられているが、本発明は上刃１…と下刃２…の一方又は両方が共通支軸に取付けられた構成を包含する。ただし、刃体毎に独立した支軸に取り付けることにより、刃体が損傷したり交換時期に達した際の交換脱着操作が極めて容易になる上、ウエブＷの幅方向の断裁位置による長手方向及び幅方向の張力の違いに対応して、良好な断裁状態になるように刃先同士の側圧や噛み合い量等を個別調整することが可能となる。
【００３３】
また、前記実施形態のスリッター装置Ｍでは下刃２がモーター２５の回転駆動軸２６に直接に固着されているが、該モーター２５の突出がスリット断裁幅を小さくする際の支障にならないように、離れた位置に設けたモーターからタイミングベルト、Ｖベルト、ギヤ等を介して回転駆動力を伝達する構成としてもよい。更に、各上刃１や各下刃２に円形皿刃１１，２１を保護するカバーを設けてもよい。その他、各対の上刃１と下刃２の上下ラップ量、接圧、トーイン角、オフセット量等について、これらを計測する適当なセンサーを付設し、その計測値を表示したり、更には該計測値に基づき、適当なコントローラー及び調整機構を介したフィードバックによって好適値になるように自動調整することも可能である。
【実施例】
【００３４】
実施例１，２
図１〜図３に示す構造で下記構成のスリッター装置Ｍを用い、下記方法によって製造した幅１２００ｍｍの感熱記録体を記録層側を上にして２５ｍ／分で水平方向に連続走行させつつ、各断裁幅を３５０ｍｍに設定してスリット断裁を行った。
【００３５】
〔スリッター装置Ｍ〕
ガイドロールＧ１，Ｇ２・・・・１００ｍｍ径、ロール対間の距離２５０ｍｍ
スリット断裁位置      ・・・・ロール対間の中間点
上刃１の円形皿刃１１  ・・・・径１００ｍｍ、厚さ２ｍｍ、刃先角α＝３０度
下刃２の円形皿刃２１  ・・・・径１００ｍｍ、厚さ２ｍｍ、刃先角β＝６０度
上刃１と下刃２のラップ量・・・０．２ｍｍ
上刃１と下刃２の接圧・・・・・１００〜１６０ｇ
上刃１と下刃２の刃先角度・・・後記表１記載
トーイン角          ・・・・・後記表１記載
【００３６】
〔感熱記録体の製造〕
(1)Ａ液調製…３−ジ（ｎ−ブチル）アミノ−６−メチル−７−アニリノフルオラン２０重量部、スルホン変性ポリビニルアルコールの１０％水溶液２０重量部、及び水１０重量部からなる組成物をウルトラビスコミルを用いて、平均粒子径が約０．３μｍになるまで粉砕してＡ液を調製した。
【００３７】
(2)Ｂ液調製…４−ヒドロキシ−４’−イソプロポキシジフェニルスルホン５０重量部、スルホン変性ポリビニルアルコールの１０％水溶液５０重量部、及び水２５重量部からなる組成物をウルトラビスコミルを用いて、平均粒子径が約０．３μｍになるまで粉砕してＢ液を調製した。
【００３８】
(3)感熱記録層用塗液の調製…Ａ液４４重量部、Ｂ液６０重量部、ポリビニルアルコール（クラレ社製の商品名ＰＶＡ１１７）の１０％水溶液２０重量部、スチレン−ブタジエン系ラテックス（商品名：Ｌ−１５７１、固形分５０％、旭化成工業社製）５０重量部、コロイダルシリカ（商品名：ＡＴ−２０Ａ、固形分２０％、旭電化工業社製）１５重量部、及び水４５重量部からなる組成物を攪拌混合して感熱記録層塗液を調製した。
【００３９】
(4)保護層用塗液の調製…カオリン（商品名：ＵＷ−９０、ＥＣ社製）の６０％分散液（平均粒径約０．５μｍ）３０重量部、カルボキシ変性ポリビニルアルコール（商品名：ゴーセナールＴ−３３０、日本合成化学工業社製）の１０％水溶液３５０重量部、ステアリン酸亜鉛分散液（商品名：ハイドリンＺ−７−３０、固形分３１．５％、中京油脂社製）１５重量部、ポリアミドエピクロルヒドリンの２０％水溶液１０重量部、及び水２００重量部からなる組成物を攪拌混合して保護層用塗液を調製した。
【００４０】
(5)感熱記録体の作製…厚さ１７５μｍの透明ポリエチレンテレフタレートフィルム（商品名：帝人テトロンフィルムＨＰＥ、帝人デュポンフィルム社製）の一方の面に、前記の感熱記録層用塗液と保護層用塗液をそれぞれ乾燥後の塗工量が２５ｇ／ｍ2 、４ｇ／ｍ2 となるように順次塗布乾燥して感熱記録層と保護層とを設け、感熱記録体を作製した。
【００４１】
比較例１〜４
上刃１及び下刃２の刃先角度とトーイン角を後記表１記載のようにした以外は、実施例１，２と同様にして感熱記録体のスリット断裁を行った。
【００４２】
以上の実施例１，２及び比較例１〜４のスリット断裁にて得られた各テープ状感熱記録体について、スリット断裁による切断縁のカエリと記録層のヒビ割れ状態を調べた。その結果を、上下刃１，２の刃先角度及びトーイン角と共に、後記表１に示す。なお、カエリと記録層のヒビ割れ状態の判定評価は次のとおりである。
【００４３】
〔カエリ〕
スリットしたフィルムを１０枚重ね、切断縁と切断縁から離れた位置の厚さをマイクロゲージで測定し、その差を１０で除して１枚平均のカエリ値（μｍ）を求めた。このカエリ値が５μｍ未満であれば、問題のないレベルとされる。
【００４４】
〔記録層のヒビ割れ状態〕
スリットした切断縁の記録層側を目視観察し、次の４段階で評価した。
◎・・・異常なく綺麗に切断されている。
○・・・部分的に微小なヒビ割れが認められるが、実用上問題のない程度である。
△・・・実用上で問題になるレベルのヒビ割れが認められる。
×・・・ヒビ割れによって記録層の剥がれを生じている。
【００４５】
【表１】
2007030097.tif 000003
【００４６】
上表で示すように、上刃の刃先角度が４０度以上になるとカエリ現象を生じ、逆に下刃は刃先角度が５０度未満になるとカエリ現象を生じており、この結果からカエリを抑止する上で上刃と下刃の刃先角度を各々本発明の規定範囲にすべきことが判る。また、上表より、トーイン角を適正範囲に設定することにより、切断縁の記録層側のひび割れや剥がれ等を防止できることが判る。
【図面の簡単な説明】
【００４７】
【図１】本発明の一実施形態に係るスリット断裁方法を示す概略側面図である。
【図２】本発明の一実施形態に係るスリッター装置の要部の縦断正面図である。
【図３】同スリッター装置における上刃の配置を示す横断平面図である。
【図４】同スリッター装置における上下刃の刃先部分を示す正面図である。
【図５】同スリッター装置の断裁対象とする記録材料の縦断面図である。
【図６】従来構成のスリッター装置の要部の縦断正面図である。
【符号の説明】
【００４８】
１          上刃
２          下刃
１１        円形皿刃
１１ａ      傾斜角の小さい側
２１        円形皿刃
２１ａ      傾斜角の小さい側
Ｂ          支持体
Ｃ          記録層
Ｆ          回転面
Ｌ          ラップ量
Ｍ          スリッター装置
Ｏ          回転軸
Ｓ          ウエブの走行方向
Ｗ          ウエブ
Ｗ１        記録材料
α          上刃の刃先角度
β          下刃の刃先角度
θ          トーイン角
【図１】
2007030097.tif 000004
【図２】
2007030097.tif 000005
【図３】
2007030097.tif 000006
【図４】
2007030097.tif 000007
【図５】
2007030097.tif 000008
【図６】
2007030097.tif 000009